(57)【要約】【課題】  照明装置の照射方向の自動決定を効率よく行うようにする。【解決手段】  発光部の照射方向を変更させるために当該発光部を備えた可動部を自動で駆動させることが可能な照明装置と、撮像装置とを含む撮像システムであって、前記発光部の照射方向を自動的に決定するための動作を開始させることが可能な操作を受け付ける操作手段と、前記操作に応じて前記発光部の照射方向を自動的に決定するか否かを制御する制御手段と、を有し、前記制御手段は、前記撮像装置が合焦状態である場合、前記操作に応じて前記発光部の照射方向を自動的に決定しないように制御する。【選択図】  図６
2016057496.tif 000002
【特許請求の範囲】
【請求項１】
発光部の照射方向を変更させるために当該発光部を備えた可動部を自動で駆動させることが可能な照明装置と、撮像装置とを含む撮像システムであって、
前記発光部の照射方向を自動的に決定するための動作を開始させることが可能な操作を受け付ける操作手段と、
前記操作に応じて前記発光部の照射方向を自動的に決定するか否かを制御する制御手段と、を有し、
前記制御手段は、前記撮像装置が合焦状態である場合、前記操作に応じて前記発光部の照射方向を自動的に決定しないように制御することを特徴とする撮像システム。
【請求項２】
発光部の照射方向を変更させるために当該発光部を備えた可動部を自動で駆動させることが可能な照明装置と、撮像装置とを含む撮像システムであって、
前記発光部の照射方向を自動的に決定するための動作を開始させることが可能な操作を受け付ける操作手段と、
前記操作に応じて前記発光部の照射方向を自動的に決定するか否かを制御する制御手段と、を有し、
前記制御手段は、前記撮像装置が合焦状態である場合、１回目の前記操作に応じて前記発光部の照射方向を自動的に決定し、２回目以降の前記操作に応じて前記発光部の照射方向を自動的に決定しないように制御することを特徴とする撮像システム。
【請求項３】
撮像装置に装着可能な照明装置であって、
発光部と、
前記発光部を備え、本体部に対して回動可能な可動部と、
前記可動部を駆動させる駆動手段と、
前記発光部の照射方向を自動的に決定する決定手段と、
操作手段にて受け付けた前記発光部の照射方向を自動的に決定するための動作を開始させることが可能な操作に応じて前記発光部の照射方向を自動的に決定するか否かを制御する制御手段と、を有し、
前記制御手段は、装着された撮像装置が合焦状態である場合、前記操作に応じて前記発光部の照射方向を自動的に決定しないように制御することを特徴とする照明装置。
【請求項４】
撮像装置に装着可能な照明装置であって、
発光部と、
前記発光部を備え、本体部に対して回動可能な可動部と、
前記可動部を駆動させる駆動手段と、
前記発光部の照射方向を自動的に決定する決定手段と、
操作手段にて受け付けた前記発光部の照射方向を自動的に決定するための動作を開始させることが可能な操作に応じて前記発光部の照射方向を自動的に決定するか否かを制御する制御手段と、を有し、
前記制御手段は、装着された撮像装置が合焦状態である場合、１回目の前記操作に応じて前記発光部の照射方向を自動的に決定し、２回目以降の前記操作に応じて前記発光部の照射方向を自動的に決定しないように制御することを特徴とする照明装置。
【請求項５】
撮像装置に装着可能であって、発光部と、前記発光部を備え本体部に対して回動可能な可動部と、前記可動部を駆動させる駆動手段と、前記発光部の照射方向を自動的に決定する決定手段と、を有する照明装置の制御方法であって、
装着された撮像装置が合焦状態でない場合、操作手段にて受け付けた前記発光部の照射方向を自動的に決定するための動作を開始させることが可能な操作に応じて前記発光部の照射方向を自動的に決定するように制御し、
前記装着された撮像装置が合焦状態である場合、前記操作に応じて前記発光部の照射方向を自動的に決定しないように制御することを特徴とする照明装置の制御方法。
【請求項６】
撮像装置に装着可能であって、発光部と、前記発光部を備え本体部に対して回動可能な可動部と、前記可動部を駆動させる駆動手段と、前記発光部の照射方向を自動的に決定する決定手段と、を有する照明装置の制御方法であって、
装着された撮像装置が合焦状態でない場合、操作手段にて受け付けた前記発光部の照射方向を自動的に決定するための動作を開始させることが可能な操作に応じて前記発光部の照射方向を自動的に決定するように制御し、
前記装着された撮像装置が合焦状態である場合、１回目の前記操作に応じて前記発光部の照射方向を自動的に決定し、２回目以降の前記操作に応じて前記発光部の照射方向を自動的に決定しないように制御することを特徴とする照明装置の制御方法。
【発明の詳細な説明】
【技術分野】
【０００１】
本発明は、照射方向を自動的に変更可能な照明装置の制御に関するものである。
【背景技術】
【０００２】
従来、照明装置の光を天井等に向けて照射して天井等からの拡散反射光を被写体に照射する発光撮影（以下、バウンス発光撮影とする）が知られている。バウンス発光撮影によれば、照明装置の光を直接的ではなく間接的に被写体に照射することができるため、柔らかい光での描写が可能となる。
【０００３】
さらに、バウンス発光撮影における最適な照射方向を自動的に決定する技術も提案されている。特許文献１ではバウンスフラッシュ撮影時における天井へフラッシュを発光させるときの該フラッシュ発光部の角度を、カメラの上方にある物体迄の距離及び被写体距離情報により自動的に設定する技術が提案されている。
【先行技術文献】
【特許文献】
【０００４】
【特許文献１】特開平０４−３４０５２７号公報
【発明の概要】
【発明が解決しようとする課題】
【０００５】
しかしながら、特許文献１に開示された従来技術では、測光スイッチＳ１をトリガにして測光やフォーカシングなども行われる。そのため、フラッシュ発光部の角度設定後に再度測光スイッチＳ１がＯＮされると、フラッシュ発光部の角度設定も再度行われる。このような場合、フラッシュ発光部の角度の再設定は不要な場合もあり、適正なバウンスフラッシュ撮影を行うためにはフラッシュ発光部の角度の再設定が終了するまで撮影を待たなければならなくなる。
【０００６】
そこで、本発明は、照明装置の照射方向の自動決定を効率よく行うようにすることを目的とする。
【課題を解決するための手段】
【０００７】
上記目的を達成するために、本発明に係る撮像システムは、発光部の照射方向を変更させるために当該発光部を備えた可動部を自動で駆動させることが可能な照明装置と、撮像装置とを含む撮像システムであって、前記発光部の照射方向を自動的に決定するための動作を開始させることが可能な操作を受け付ける操作手段と、前記操作に応じて前記発光部の照射方向を自動的に決定するか否かを制御する制御手段と、を有し、前記制御手段は、前記撮像装置が合焦状態である場合、前記操作に応じて前記発光部の照射方向を自動的に決定しないように制御することを特徴とする。
【発明の効果】
【０００８】
本発明によれば、照明装置の照射方向の自動決定を効率よく行うことができる。
【図面の簡単な説明】
【０００９】
【図１】本発明の実施形態に係る撮像システムを構成するカメラの概略構成を示すブロック図である。
【図２】本発明の実施形態に係る撮像システムを構成する外部ストロボの概略構成を示すブロック図である。
【図３】第１の実施形態に係るオートバウンス制御のカメラ側での制御を示す図である。
【図４】オートバウンス制御の外部ストロボ側での制御を示す図である。
【図５】ストロボ通信後処理の詳細を示す図である。
【図６】第１の実施形態に係るオートバウンス判定処理を示す図である。
【図７】オートバウンス制御の詳細を示す図である。
【図８】バウンス駆動制御を示す図である。
【図９】第１の実施形態に係るオートバウンス駆動の中断判定処理を示す図である。
【図１０】カメラと外部ストロボとの間で送受信されるオートバウンス情報及びＡＦ合焦情報を示す図である。
【図１１】第２の実施形態に係るオートバウンス制御のカメラ側での制御を示す図である。
【図１２】第２の実施形態に係るオートバウンス判定処理を示す図である。
【図１３】第３の実施形態に係るオートバウンス判定処理を示す図である。
【図１４】第４の実施形態に係るオートバウンス制御のカメラ側での制御を示す図である。
【発明を実施するための形態】
【００１０】
以下に、本発明の好ましい実施の形態を、添付の図面に基づいて詳細に説明する。
【００１１】
以下、本発明の実施形態について、添付図面を参照して詳細に説明する。ここでは、本発明に係る撮像装置としてのデジタルスチルカメラ（以下「カメラ」と略す）と、このカメラに装着可能な照明装置としての外部ストロボとからなる撮像システムを取り上げることとする。
【００１２】
＜カメラ及び外部ストロボの概略構成＞
図１は、本発明の実施形態に係る撮像システムを構成するカメラ１００の概略構成を示すブロック図である。カメラ１００は、不図示の撮影光学系、カメラＭＰＵ１０１、タイミング信号発生回路１０２、撮像素子１０３、信号処理回路１０４、メモリコントローラ１０５、バッファメモリ１０６、画像表示部１０７及び記憶媒体Ｉ／Ｆ１０８を備える。記憶媒体Ｉ／Ｆ１０８には、記憶媒体１０９が接続される。
【００１３】
カメラＭＰＵ１０１は、撮影シーケンスの他、カメラ１００の全体的な動作を制御するマイクロコントローラである。被写体の光学像が、撮像光学系を通して撮像素子１０３に結像する。撮像素子１０３は、ＣＣＤセンサやＣＭＯＳセンサ等のイメージセンサであり、結像した光学像を電気信号に変換する。タイミング信号発生回路１０２は、撮像素子１０３を動作させるために必要なタイミング信号を発生する。信号処理回路１０４は、撮像素子１０３から出力されたアナログ信号をデジタル信号に変換するＡ／Ｄ変換器を有し、また、生成したデジタル信号にホワイトバランス処理等の所定の画像処理を施して画像データを生成する各種の画像処理機能を有する。
【００１４】
メモリコントローラ１０５は、バッファメモリ１０６の読み書きやリフレッシュ動作等を制御する。バッファメモリ１０６は、信号処理回路１０４から出力された画像データを一時的に記憶し、また、記憶媒体１０９から読み出した画像データを一時的に記憶する。画像表示部１０７は、バッファメモリ１０６に蓄えられた画像データを画像として表示する。記憶媒体Ｉ／Ｆ１０８は、記憶媒体１０９とカメラＭＰＵ１０１との間の通信を可能にするためのインタフェースである。記憶媒体１０９は、例えば、メモリカードやハードディスク等であり、カメラ１００（本体）に内蔵されていてもよいし、カメラ１００（本体）に対して着脱自在であってもよい。
【００１５】
カメラ１００は、モータ制御部１１０、シャッタ制御部１１１、測光部１１２、レンズ制御部１１４、焦点検出部１１５、姿勢検出部１１６、スイッチ操作部１１７及びストロボ制御部１１８を備え、これらはカメラＭＰＵ１０１に接続されている。測光部１１２には多分割測光センサ１１３が接続され、ストロボ制御部１１８には外部ストロボ装置（以下「外部ストロボ」という）１２０が接続されている。
【００１６】
モータ制御部１１０は、カメラＭＰＵ１０１からの信号に従って露出動作時に不図示のモータを制御することにより、不図示のミラーのアップ／ダウンや不図示のシャッタのチャージを行う。シャッタ制御部１１１は、カメラＭＰＵ１０１からの信号に従って、不図示のシャッタ先幕とシャッタ後幕の通電をカットし、幕走行させることで露出動作を制御する。
【００１７】
測光部１１２は、撮影画面内を複数のエリアに分割した多分割測光センサ１１３からの出力をエリア毎の輝度信号としてカメラＭＰＵ１０１に出力する。カメラＭＰＵ１０１は、測光部１１２から受信した輝度信号を不図示のＡ／Ｄ変換器でデジタルデータに変換し、得られたデジタルデータを用いて、露出調節のためのＡＶ（絞り値）、ＴＶ（シャッタスピード）、ＩＳＯ感度（撮影感度）等の測光演算を行う。また、測光部１１２は、外部ストロボ１２０から被写体へ向けて予備（プリ）発光を行ったときに得られる輝度信号をカメラＭＰＵ１０１に出力する。カメラＭＰＵ１０１は、測光部１１２から受信した輝度信号に基づき、露出時のストロボメイン発光量の演算を行う。
【００１８】
レンズ制御部１１４は、不図示のレンズマウント接点を介してカメラＭＰＵ１０１と通信し、不図示のレンズ駆動モータ及びレンズ絞りモータを動作させ、撮影光学系を構成する不図示のレンズの焦点調節と絞りを制御する。焦点検出部１１５は、ＡＦ（オートフォーカス）のための被写体に対するデフォーカス量を検出する。姿勢検出部１１６は、重力方向と撮影光軸のそれぞれを中心とした回転方向に対するカメラ１００（本体）の傾きを検出する。
【００１９】
スイッチ操作部１１７は、カメラ１００（本体）に設けられた操作部材であり、図１には３つのスイッチＳＷ１，ＳＷ２，ＳＷＡＢを示している。スイッチＳＷ１は、不図示のレリーズボタンの第１ストロークでオンするレリーズ準備ボタンとして機能する。スイッチＳＷ１の押下により、カメラＭＰＵ１０１はＡＦ及び測光を開始し、外部ストロボ１２０の自動照射方向制御（以下、「オートバウンス制御」という）を開始する。つまり、スイッチＳＷ１は、オートバウンス開始スイッチとしても機能する。スイッチＳＷ２は、レリーズボタンの第２ストロークでオンし、これに応じてカメラＭＰＵ１０１は、露光動作を開始する。スイッチＳＷＡＢは、レリーズボタンとは別にカメラ１００（本体）に設けられたオートバウンス開始ボタンの押下によりオンするオートバウンス開始スイッチである。
【００２０】
以上のように、オートバウンス開始スイッチは、後述する発光部２０２の照射方向を自動的に決定するための動作を開始させることが可能な操作を受け付けるものである。
【００２１】
なお、外部ストロボ１２０は、カメラＭＰＵ１０１からオートバウンス制御開始の信号を受信すると、発光部２０２を有するストロボヘッド部２００ｂ（図２参照）を所定の角度へと自動駆動させる。また、スイッチ操作部１１７は、スイッチＳＷ１，ＳＷ２，ＳＷＡＢ以外の種々のスイッチやボタンを備え、それらのスイッチやボタンからの信号はカメラＭＰＵ１０１に送られ、カメラＭＰＵ１０１は、各スイッチと各ボタンに割り当てられた動作を実行する。
【００２２】
ストロボ制御部１１８は、外部ストロボ１２０に対して発光パターン（プリ発光、メイン発光）の指示と、メイン発光量等の指示を行う。カメラＭＰＵ１０１と外部ストロボ１２０との通信は、カメラ１００のストロボ制御部１１８と外部ストロボ１２０のカメラ接続部２０９とを介して行われる（図２参照）。
【００２３】
図２は、外部ストロボ１２０の概略構成を示すブロック図である。外部ストロボ１２０は、大略的に、ストロボ本体部２００ａ（本体）とストロボ本体部２００ａに対して回動可能なストロボヘッド部２００ｂ（可動部）とから構成されている。ストロボ本体部２００ａは、ストロボＭＰＵ２０１、ヘッド駆動制御部２０４、ストロボ姿勢検出部２０５、バウンス角度演算部２０６、ストロボスイッチ操作部２０７、表示部２０８及びカメラ接続部２０９を備える。ストロボヘッド部２００ｂは、発光部２０２及び測距用測光部２０３を備える。
【００２４】
ストロボＭＰＵ２０１は、発光制御シーケンスやストロボヘッド部２００ｂの角度決定等の他、外部ストロボ１２０の全体的な動作を制御するマイクロコントローラである。発光部２０２は、ストロボＭＰＵ２０１からの発光信号に従ってストロボ光を発光する不図示のストロボ発光回路を有する。測距用測光部２０３は、発光部２０２から照射されたストロボ光が測距対象に反射することで得られる反射光を受光する不図示の測距用測光センサを有し、測距用測光センサからの出力である輝度信号をストロボＭＰＵ２０１へ送信する。ストロボＭＰＵ２０１は、測距用測光部２０３から受信した輝度信号を不図示のＡ／Ｄ変換器によりデジタルデータに変換し、変換したデジタルデータに基づいて測距対象までの距離を算出する。
【００２５】
ヘッド駆動制御部２０４は、ストロボＭＰＵ２０１からの制御信号に従って、不図示のモータを駆動制御することにより、ストロボヘッド部２００ｂをストロボ本体部２００ａに対して水平方向／垂直方向に駆動させる。このように構成により、発光部２０２の照射方向を変更させるためにストロボヘッド部２００ｂを自動で駆動させることができる。また、ヘッド駆動制御部２０４は、ストロボヘッド部２００ｂの駆動量を検出し、得られた検出結果をストロボ本体部２００ａに対する相対位置情報としてストロボＭＰＵ２０１に送る。ストロボ姿勢検出部２０５は、重力方向と撮影光軸のそれぞれを中心とした回転方向に対するストロボ本体部２００ａの傾きを取得する。
【００２６】
バウンス角度演算部２０６は、測距用測光部２０３が取得したデータとストロボ姿勢検出部２０５が取得したデータに基づき、最適な照射方向（バウンス角度）を算出する。ストロボスイッチ操作部２０７は、ストロボ本体部２００ａに設けられたオートバウンス開始ボタンが押下されることによりオンするスイッチＳＴ＿ＳＷＡＢを有する。スイッチＳＴ＿ＳＷＡＢがオンになると、ストロボＭＰＵ２０１は、ストロボヘッド部２００ｂのオートバウンス制御を開始する。なお、ストロボスイッチ操作部２０７は、その他にも、外部ストロボ１２０の電源スイッチや外部ストロボ１２０の種々の設定や動作を行うためのボタンやスイッチを含み、各スイッチ及び各ボタンからの信号はストロボＭＰＵ２０１に送られる。ストロボＭＰＵ２０１は、各スイッチ及び各ボタンに割り当てられた動作を実行する。表示部２０８には、外部ストロボ１２０の設定状態等が表示される。カメラ接続部２０９は、カメラ１００のストロボ制御部１１８と接続され、カメラＭＰＵ１０１とストロボＭＰＵ２０１とは、ストロボ制御部１１８とカメラ接続部２０９とを介して必要な通信を行う。
【００２７】
＜第１の実施形態に係る自動照射方向制御方法（オートバウンス制御方法）＞
以下、図３〜１０を用いて、第１の実施形態に係る自動照射方向制御方法を説明する。
【００２８】
まず図３を用いてカメラ１００のカメラＭＰＵ１０１によって実行される処理を説明する。図３は、第１の実施形態に係るオートバウンス制御方法のカメラ１００での制御フローを示すフローチャートである。図３に示す各処理は、カメラＭＰＵ１０１が、不図示のＲＯＭに格納された制御プログラムを不図示のＲＡＭに展開することにより実行される。
【００２９】
ステップＳ０１においてカメラＭＰＵ１０１は、レジスタの初期化やデータの初期化、周辺部の初期化等の初期設定を行う。続くステップＳ０２においてカメラＭＰＵ１０１は、スイッチ操作部１１７が備えるスイッチＳＷ１，ＳＷ２，ＳＷＡＢ及びその他のボタンやスイッチの状態を検出する。そして、ステップＳ０３においてカメラＭＰＵ１０１は、カメラ１００の電源スイッチ（電源ＳＷ）がオフされたか否かを判定する。カメラＭＰＵ１０１は、電源ＳＷがオフされた場合（Ｓ０３でＹＥＳ）、処理をステップＳ０４へ進め、電源ＳＷがオンの状態にある場合（Ｓ０３でＮＯ）、処理をステップＳ０５へ進める。
【００３０】
ステップＳ０４においてカメラＭＰＵ１０１は、周辺回路への電源オフの指示やデータ退避等の終了処理を行い、その後、本処理を終了させる。一方、ステップＳ０５においてカメラＭＰＵ１０１は、ＳＷ１がオフか否かを判定し、ＳＷ１がオフならばステップＳ０６へ、ＳＷ１がオンならばステップＳ０７へ移行する。
【００３１】
ステップＳ０６においてカメラＭＰＵ１０１は、カメラＭＰＵ１０１のＲＡＭデータ（カメラＭＰＵ１０１の内部ＲＡＭに記憶されるデータ）であるＡＦ＿ＪＦ＿ＬＯＣＫを０にする。ステップＳ０７においてカメラＭＰＵ１０１は、カメラＭＰＵ１０１のＲＡＭデータであるＡＦ＿ＪＦが１か否かを判定し、ＡＦ＿ＪＦが１であればステップＳ０８へ移行し、ＡＦ＿ＪＦが１でなければステップＳ０９へ移行する。
【００３２】
ステップＳ０８においてカメラＭＰＵ１０１は、ＡＦ＿ＪＦ＿ＬＯＣＫを１にしてステップＳ１０へ移行する。ステップＳ０９においてカメラＭＰＵ１０１は、ＡＦ＿ＪＦ＿ＬＯＣＫを１にしてステップＳ１０へ移行する。
【００３３】
ステップＳ１０においてカメラＭＰＵ１０１は、カメラ１００（本体）に装着されている外部ストロボ１２０との通信（ストロボ通信）を行う。このストロボ通信では、カメラＭＰＵ１０１は、カメラ１００の各種情報（オートバウンス情報やＡＦ合焦情報を含む）を外部ストロボ１２０へ送信すると共に、外部ストロボ１２０から外部ストロボ１２０の各種情報（オートバウンス情報含む）を受信する。
【００３４】
図１０は、ステップＳ１０において行われるストロボ通信において送受信されるオートバウンス情報やＡＦ合焦情報を示す図である。図１０（ａ）は、カメラ１００から外部ストロボ１２０へ送信されるオートバウンス情報を示している。このオートバウンス情報は、「オートバウンス開始命令」、「オートバウンス中止命令」及び「オートバウンス開始ボタン情報」を含む自動照射方向制御に関する情報である。オートバウンス開始命令は、オートバウンス制御の開始を指示する。オートバウンス中止命令は、オートバウンス制御の中止を指示する。オートバウンス開始ボタン情報は、オートバウンス制御を開始させるための操作がなされたボタンを示す情報であり、スイッチＳＷ１，ＳＷＡＢのいずれかとなる。
【００３５】
図１０（ｂ）は、外部ストロボ１２０からカメラ１００へ送信されるオートバウンス情報を示している。このオートバウンス情報は、「オートバウンス開始」、「オートバウンス終了」、「オートバウンス制御中」及び「オートバウンス開始ボタン情報」を含む自動照射方向制御に関する情報である。オートバウンス開始は、オートバウンス制御を開始したことを通知するものである。オートバウンス終了は、オートバウンス制御を終了したことを通知するものである。オートバウンス制御中は、オートバウンス制御中であることを通知するものである。オートバウンス開始ボタン情報は、外部ストロボ１２０のオートバウンス開始スイッチであるスイッチＳＴ＿ＳＷＡＢが押下されたことを示す。
【００３６】
図１０（ｃ）は、カメラ１００から外部ストロボ１２０へ送信されるＡＦ合焦情報を示している。合焦状態となってからレンズ位置が固定（ロック）されていればＡＦ＿ＪＦ＿ＬＯＣＫ＝１となる。
【００３７】
図３に戻って、ステップＳ１１においてカメラＭＰＵ１０１は、ＳＷＡＢがオンか否かを判定しＳＷＡＢがオン（オートバウンス許可）ならばステップＳ１２へ移行し、ＳＷＡＢがオフならばステップＳ１４へ移行する。
【００３８】
ステップＳ１２においてカメラＭＰＵ１０１は、カメラＭＰＵ１０１のＲＡＭデータであるＳＷＡＢ＿ＡｕｔｏＢｏｕｎｃｅを１にする。
【００３９】
ステップＳ１３において、カメラＭＰＵ１０１は、外部ストロボ１２０へオートバウンス制御開始の通信を行いステップＳ０２へ戻る。
【００４０】
ステップＳ１４においてカメラＭＰＵ１０１は、ＳＷ１がオフからオンに変化したか否かを判定する。オフからオンに変化していればステップＳ１５へ移行し、変化していなければステップＳ２２へ移行する。
【００４１】
ステップＳ１５においてカメラＭＰＵ１０１は、被写体に焦点を合わせるために、焦点検出部１１５からのデフォーカス量に基づき、周知の位相差検出方式等による測距演算を行う。続くステップＳ１６においてカメラＭＰＵ１０１は、ステップＳ１５での測距演算によるデータに基づき、レンズ駆動量を算出してレンズを駆動する。
【００４２】
ステップＳ１７においてカメラＭＰＵ１０１は、レンズ駆動した結果、レンズ位置が合焦範囲に入っているか否か（合焦状態となったか否か）を判定し、合焦範囲に入っていればステップＳ１８へ移行し、合焦範囲に入っていなければステップＳ２１へ移行する。
【００４３】
ステップＳ１８においてカメラＭＰＵ１０１は、ＡＦ＿ＪＦを１にする。
【００４４】
ステップＳ１９においてカメラＭＰＵ１０１は、ＳＷ１＿ＡｕｔｏＢｏｕｎｃｅを１にする。
【００４５】
ステップＳ２０においてカメラＭＰＵ１０１は、外部ストロボ１２０へオートバウンス制御開始の通信を行いステップＳ２２へ移行する。
【００４６】
ステップＳ２１においてカメラＭＰＵ１０１は、ＡＦ＿ＪＦを０にする。
【００４７】
ステップＳ２２においてカメラＭＰＵ１０１は、測光部１１２からの出力、設定されたＩＳＯ感度や撮影モード等のカメラ設定情報に基づき、シャッタスピード（ＣＭＯＳセンサの場合には蓄積時間）や絞り値等を決定するための測光演算処理を行う。
【００４８】
ステップＳ２３においてカメラＭＰＵ１０１は、測光演算を行って算出されたシャッタスピード及び絞り値等のカメラの情報を画像表示部１０７に表示する。
【００４９】
ステップＳ２４においてカメラＭＰＵ１０１は、撮影操作スイッチであるスイッチＳＷ２がオンされたか否かを判定する。スイッチＳＷ２がオンされていればステップＳ２５へ移行し、スイッチＳＷ２がオンされていなければステップＳ０２へ戻る。
【００５０】
ステップＳ２５においてカメラＭＰＵ１０１は、撮像素子１０３のゲイン設定、蓄積動作、読み出し動作、読み出され信号に対する画像処理、画像書き込み等の静止画撮影の一連の動作を行う。ステップＳ３２１の後はステップＳ０２へ戻る。
【００５１】
以上が、カメラ１００で実行される処理であり、カメラ１００ではステップＳ１４〜ステップＳ２１で、ＳＷ１がオンになったことに伴うＡＦ後に、オートバウンス制御開始の通知を外部ストロボ１２０に送信している。
【００５２】
また、ステップＳ０５〜ステップＳ１０により、ＡＦ後にＳＷ１がオン状態であれば、ＡＦ＿ＪＦ＿ＬＯＣＫを１にして、外部ストロボ１２０へＡＦ合焦情報として通知している。
【００５３】
次に、図４を用いて外部ストロボ１２０のストロボＭＰＵ２０１によって実行される処理を説明する。図４は、第１の実施形態に係るオートバウンス制御の外部ストロボ１２０での制御フローを示すフローチャートである。図５に示す各処理は、ストロボＭＰＵ２０１が、不図示のＲＯＭに格納された制御プログラムを不図示のＲＡＭに展開することにより実行される。
【００５４】
ステップＳ３１においてストロボＭＰＵ２０１は、ストロボＭＰＵ２０１に接続された各種端子の初期化処理や、ストロボＭＰＵ２０１の内部ＲＡＭ等のデータ初期化処理を行う。続くステップＳ３２においてストロボＭＰＵ２０１は、ストロボスイッチ操作部２０７が備えるスイッチＳＴ＿ＳＷＡＢ及びその他のボタンやスイッチの状態を検出する。ステップＳ３３においてストロボＭＰＵ２０１は、ステップＳ３２でのスイッチ検出結果に基づき、外部ストロボ１２０の電源スイッチ（電源ＳＷ）がオフであるか否かを判定する。ストロボＭＰＵ２０１は、電源ＳＷがオフである場合、処理をステップＳ３４へ進め、電源ＳＷがオンである場合、処理をステップＳ３５へ進める。ステップＳ３４においてストロボＭＰＵ２０１は、電源オフ処理等の終了設定を行い、本処理を終了させる。
【００５５】
ステップＳ３５においてストロボＭＰＵ２０１は、ストロボ姿勢検出部２０５から重力方向と光軸のそれぞれを中心とした回転方向に対するストロボ本体部２００ａの傾きを取得する。ここで、ストロボ本体部２００ａの傾きは、カメラ１００（本体）の水平位置を基準とする傾きとなる。続くステップＳ３６においてストロボＭＰＵ２０１は、カメラ１００との通信処理（ステップＳ１０の通信処理に対応する）を実行する。
【００５６】
次いで、ステップＳ３７においてストロボＭＰＵ２０１は、ストロボ通信の後処理を行う。更に、ステップＳ３８においてストロボＭＰＵ２０１は、オートバウンス判定処理を行う。これらステップＳ３７のストロボ通信後処理と、ステップＳ３８のオートバウンス判定処理の詳細については、後述する。
【００５７】
その後、ステップＳ３９においてストロボＭＰＵ２０１は、ストロボ本体部２００ａが備える不図示のコンデンサの充電開始や充電停止等の充電制御を行う。そして、ステップＳ４０においてストロボＭＰＵ２０１は、外部ストロボ１２０の各種状態（ストロボモード、充電状態、ズーム位置等）を表示部２０８に表示する。その後、処理はステップＳ３２へ戻される。
【００５８】
上述したステップＳ３７のストロボ通信後処理の詳細について、図５を参照して説明する。図５は、ステップＳ３７のストロボ通信後処理の詳細を示すフローチャートである。
【００５９】
ステップＳ５１においてストロボＭＰＵ２０１は、カメラ１００からの通信がメイン発光を指示するメイン発光通信であるか否かを判定する。ストロボＭＰＵ２０１は、メイン発光指示である場合、ステップＳ５２においてメイン発光処理を行う。これにより、本処理は終了となる。ストロボＭＰＵ２０１は、メイン発光指示でない場合、ステップＳ５３においてカメラ１００からの通信がプリ発光を行うプリ発光通信であるか否かを判定する。
【００６０】
ストロボＭＰＵ２０１は、プリ発光指示である場合、ステップＳ５４においてプリ発光処理を行う。これにより、本処理は終了となる。ストロボＭＰＵ２０１は、プリ発光指示でない場合、ステップＳ５５において、カメラ１００からの通信がオートバウンス情報記憶通信であるか否かを判定する。ストロボＭＰＵ２０１は、オートバウンス情報記憶通信である場合、ステップＳ５６においてカメラ１００からオートバウンス情報（図１０（ａ））を取得し、記憶する。これにより、本処理は終了となる。ストロボＭＰＵ２０１は、オートバウンス情報記憶通信でない場合、ステップＳ５７において、カメラ１００からの通信がオートバウンス制御送信要求であるか否かを判定する。
【００６１】
ストロボＭＰＵ２０１は、オートバウンス情報送信要求である場合、ステップＳ５８において、カメラ１００へオートバウンス情報（図１０（ｂ））を送信する。これにより、本処理は終了となる。ストロボＭＰＵ２０１は、オートバウンス情報送信要求でない場合、ステップＳ５９において、カメラ１００からの通信がカメラ情報通信であるか否かを判定する。ストロボＭＰＵ２０１は、カメラ情報通信である場合、ステップＳ６０において、カメラ情報（撮影モード、シャッタスピード、絞り、ズーム位置、プリ発光情報等）を記憶する。これにより、本処理は終了となる。ストロボＭＰＵ２０１は、カメラ情報通信でない場合、ステップＳ６１において、カメラ１００からの通信がストロボ情報送信要求であるか否かを判定する。
【００６２】
ストロボＭＰＵ２０１は、ストロボ情報送信要求である場合、ステップＳ６２において、カメラ１００へストロボ情報（フラッシュモード、充電状態、電池情報やガイドナンバ情報等）を送信する。これにより、本処理は終了となる。ストロボＭＰＵ２０１は、ストロボ情報送信要求でない場合、ステップＳ６３において、カメラ１００からの通信がＡＦ合焦通信であるか否かを判定する。ストロボＭＰＵ２０１は、ＡＦ合焦通信である場合、ステップＳ６４において、カメラからのＡＦ合焦情報をストロボＭＰＵ２０１の内部ＲＡＭのＳＴ＿ＡＦ＿ＪＦ＿ＬＯＣＫに記憶する。これにより、本処理は終了となる。また、ストロボＭＰＵ２０１は、ＡＦ合焦通信でない場合、本処理を終了させる。
【００６３】
なお、ストロボ通信後処理のステップＳ５１，Ｓ５３，Ｓ５５，Ｓ５７，Ｓ５９，Ｓ６１，Ｓ６３の各処理の順序は、上記の順序に限定されるものではなく、自由に設定することができる。
【００６４】
上述したステップＳ３８のオートバウンス判定処理の詳細について、図６を参照して説明する。図６は、ステップＳ３８のオートバウンス判定処理のフローチャートである。
【００６５】
ステップＳ７１においてストロボＭＰＵ２０１は、カメラ１００からオートバウンス開始要求があるか否かを判定する。ストロボＭＰＵ２０１は、オートバウンス開始要求があった場合、ステップＳ７３へ移行し、オートバウンス開始要求がない場合、ステップＳ７２へ移行する。
【００６６】
ステップＳ７２においてストロボＭＰＵ２０１は、スイッチＳＴ＿ＳＷＡＢがオフからオンに変化したか否かを判定する。ストロボＭＰＵ２０１は、オフからオンに変化していればステップＳ７３へ移行し、オフからオンに変化していなければ本処理を終了させる。
【００６７】
ステップＳ７３においてストロボＭＰＵ２０１は、ストロボＭＰＵ２０１の内部ＲＡＭに記憶しているＳＴ＿ＡＦ＿ＪＦ＿ＬＯＣＫが０か否かを判定する。ストロボＭＰＵ２０１は、ＳＴ＿ＡＦ＿ＪＦ＿ＬＯＣＫが０の場合、ステップＳ７４においてオートバウンス制御を実行し、ＳＴ＿ＡＦ＿ＪＦ＿ＬＯＣＫが０でない（１である）場合、本処理を終了させる。
【００６８】
上述したステップＳ７４のオートバウンス制御の詳細について、図７を参照して説明する。図７は、ステップＳ７４のオートバウンス制御の詳細を示すフローチャートである。
【００６９】
ステップＳ８１においてストロボＭＰＵ２０１は、カメラ１００に対してオートバウンス開始を通知する。続くステップＳ８２においてストロボＭＰＵ２０１は、ストロボヘッド部２００ｂを天井方向へ駆動させるバウンス駆動制御を行う。ここで、ストロボヘッド部２００ｂの天井方向への駆動量は、ストロボ本体部２００ａの傾きに基づいて算出される。例えば、図４のステップＳ３５での重力方向の角度をＸ度、回転方向の角度を０度とした場合、駆動量は角度（９０−Ｘ）度となる。なお、ステップＳ８２の処理の詳細については後述する。
【００７０】
ステップＳ８３においてストロボＭＰＵ２０１は、天井方向へ向けて発光部２０２によるプリ発光を行う。このプリ発光によって発光部２０２からストロボ光が発せられ、測距対象である天井からの反射光データを測距用測光部２０３が取得することで、天井までの距離を算出することができる。続いて、ステップＳ８４においてストロボＭＰＵ２０１は、ストロボヘッド部２００ｂを撮影被写体に対して正面方向へ駆動させるバウンス駆動制御を行う。ここで、正面方向は光軸方向となるため、駆動量は角度０度となる。なお、ステップＳ８４の処理の詳細については後述する。そして、ステップＳ８５においてストロボＭＰＵ２０１は、プリ発光を行う。このプリ発光によって発光部２０２からストロボ光が発せられ、測距対象である被写体からの反射光データを測距用測光部２０３が取得することで、被写体までの距離を算出することができる。
【００７１】
ステップＳ８６においてストロボＭＰＵ２０１は、天井までの距離と被写体までの距離とに基づき、バウンスストロボ撮影に適した照射方向に対応する最適バウンス角度を算出する。最適バウンス角度の演算の詳細には、周知の技術を用いることができるため、ここでの説明は省略するが、最適バウンス角度の駆動量は、ストロボ本体部２００ａの傾きを加味して算出される。続いて、ステップＳ８７においてストロボＭＰＵ２０１は、ストロボヘッド部２００ｂをバウンスストロボ撮影に適した照射方向となる位置に対応する最適バウンス角度へ駆動させるバウンス駆動制御を行う。なお、ステップＳ８７の処理の詳細については後述する。その後、ステップＳ８８においてストロボＭＰＵ２０１は、カメラ１００へオートバウンス終了通知を行う。これにより、本処理は終了となる。
【００７２】
上述したステップＳ８２，Ｓ８４，Ｓ８７のバウンス駆動の詳細について、図８及び図９を参照して説明する。図８は、ステップＳ８２，Ｓ８４，Ｓ８７のバウンス駆動制御のフローチャートである。なお、ステップＳ８２，Ｓ８４，Ｓ８７のバウンス駆動は、駆動量が異なるだけであって、駆動手順は同じであるため、図８に示す１つのフローチャートで説明することができる。
【００７３】
ステップＳ９１においてストロボＭＰＵ２０１は、ヘッド駆動制御部２０４により不図示のモータの駆動を制御して、ストロボヘッド部２００ｂの駆動を開始する。
【００７４】
続くステップＳ９２においてストロボＭＰＵ２０１は、現在のストロボヘッド部２００ｂの位置での駆動量をヘッド駆動制御部２０４から取得し、取得した現在の駆動量が所定の駆動量に合致するか否かを判定する。ストロボＭＰＵ２０１は、現在の駆動量が所定の駆動量に合致する場合、処理をステップＳ９９へ進め、現在の駆動量が所定の駆動量と合致しない場合、処理をステップＳ９３へ進める。
【００７５】
ステップＳ９９においてストロボＭＰＵ２０１は、ヘッド駆動制御部２０４により不図示のモータの駆動を制御して、ストロボヘッド部２００ｂの駆動を停止する。これにより、本処理は終了となる。一方、ステップＳ９３においてストロボＭＰＵ２０１は、カメラ１００と通信を行い、オートバウンス情報を取得する。その後、ステップＳ９４においてストロボＭＰＵ２０１は、ストロボスイッチ操作部２０７の各種スイッチ（電源ＳＷやスイッチＳＴ＿ＳＷＡＢ）を検出する。そして、ステップＳ９５においてストロボＭＰＵ２０１は、オートバウンス制御の中断判定を行う。このオートバウンス制御の中断判定の詳細については、図９を参照して後述する。
【００７６】
次に、ステップＳ９６においてストロボＭＰＵ２０１は、ステップＳ９５での中断判定の結果、オートバウンス制御の中断を許可したか否かを判定する。ストロボＭＰＵ２０１は、オートバウンス制御の中断を許可しなかった場合、処理をステップＳ９２へ戻し、オートバウンス制御の中断を許可した場合、処理をステップＳ９７へ進める。ステップＳ９７においてストロボＭＰＵ２０１は、ヘッド駆動制御部２０４によりモータの駆動を停止させる制御を行い、これにより、ストロボヘッド部２００ｂの駆動を停止させる。続いて、ステップＳ９８においてストロボＭＰＵ２０１は、カメラ１００へオートバウンスの終了通知を行う。これにより、本処理は終了となる。
【００７７】
上述したステップＳ９５のオートバウンス制御の中断判定処理の詳細について、図９を参照して説明する。図９は、ステップＳ９５のオートバウンス制御の中断判定処理のフローチャートである。
【００７８】
ステップＳ１０１においてストロボＭＰＵ２０１は、カメラ１００からのオートバウンス情報にオートバウンス中止要求があるか否かを判定する。ストロボＭＰＵ２０１は、オートバウンス中止要求があった場合、処理をステップＳ１０２へ進め、オートバウンス中止要求がない場合、処理をステップＳ１０３へ進める。
【００７９】
ステップＳ１０２においてストロボＭＰＵ２０１は、オートバウンスの中断許可をメモリに記憶する。一方、ステップＳ１０３においてストロボＭＰＵ２０１は、オートバウンスの中断不許可をメモリに記憶する。ステップＳ１０２又はステップＳ１０３の実行により、本処理は終了となる。
【００８０】
以上のように、本実施形態では、カメラ１００がＡＦ合焦情報を外部ストロボ１２０に送信している。そして、外部ストロボ１２０は取得したＡＦ合焦情報に基づいて、カメラ１００が合焦状態（被写体にピントが合っている状態）であると判定した場合にはオートバウンス制御を開始させないようにしている。より詳細には、ストロボＭＰＵ２０１が、オートバウンススイッチへの操作に応じて発光部２０２の照射方向を自動的に決定するか否かを、カメラ１００が合焦状態か否かによって制御している。そうすることで、不要な照射方向の決定を行わないようにできる。なお、カメラ１００が合焦状態でない場合には、ストロボＭＰＵ２０１が、オートバウンススイッチへの操作に応じて発光部２０２の照射方向を自動的に決定するように制御している。そうすることで、必要なときには照射方向の決定を行うことができる。以上のように、照射方向の自動決定を効率よく行うことができる。
【００８１】
＜第２の実施形態に係る自動照射方向制御方法（オートバウンス制御方法）＞
以下、図１１、１２を用いて、第２の実施形態に係る自動照射方向制御方法を説明する。第２の実施形態は、第１の実施形態とカメラ１００のカメラＭＰＵ１０１によって実行される処理及び外部ストロボ１２０のストロボＭＰＵ２０１によって実行されるオートバウンス判定処理が異なる。なお、カメラ及び外部ストロボの概略構成及びその他の処理は第１の実施形態と同様のため説明は省略する。
【００８２】
まず図１１を用いてカメラ１００のカメラＭＰＵ１０１によって実行される処理を説明する。図１１は、第２の実施形態に係るオートバウンス制御方法のカメラ１００での制御フローを示すフローチャートである。図１１に示す各処理は、カメラＭＰＵ１０１が、不図示のＲＯＭに格納された制御プログラムを不図示のＲＡＭに展開することにより実行される。
【００８３】
ステップＳ２０１〜Ｓ２１０の処理は、図３のステップＳ０１〜Ｓ１０と同様であるため説明は省略する。
【００８４】
ステップＳ２１１においてカメラＭＰＵ１０１は、ＡＦ＿ＪＦ＿ＬＯＣＫが０か否かを判定し、ＡＦ＿ＪＦ＿ＬＯＣＫが０ならばステップＳ２１２へ移行し、ＡＦ＿ＪＦ＿ＬＯＣＫが０でなければステップＳ２１７へ移行する。
【００８５】
ステップＳ２１２においてカメラＭＰＵ１０１は、ＳＷＡＢがオンか否かを判定し、ＳＷＡＢがオン（オートバウンス許可）でなければステップＳ２１３へ移行し、ＳＷＡＢがオンならばステップＳ２１４へ移行する。
【００８６】
ステップＳ２１３においてカメラＭＰＵ１０１は、外部ストロボ１２０から受信したオートバウンス情報に基づいて、オートバウンス開始スイッチ（ＳＴ＿ＳＷＡＢ）がオンか否かを判定する。ＳＴ＿ＳＷＡＢがオン（オートバウンス許可）であればステップＳ２１５へ移行し、オンでなければステップＳ２１７へ移行する。
【００８７】
ステップＳ２１４においてカメラＭＰＵ１０１は、ＳＷＡＢ＿ＡｕｔｏＢｏｕｎｃｅを＝１にする。
【００８８】
ステップＳ２１５においてカメラＭＰＵ１０１は、カメラＭＰＵ１０１のＲＡＭデータであるＳＴ＿ＳＷＡＢ＿ＡｕｔｏＢｏｕｎｃｅを１にする。その後、ステップＳ２１６においてカメラＭＰＵ１０１は、外部ストロボ１２０へオートバウンス制御開始の通信を行いステップＳ２０２へ戻る。
【００８９】
以降のステップＳ２１７〜Ｓ２２８の処理は、図３のステップＳ１４〜Ｓ２５と同様であるため説明は省略する。
【００９０】
以上が、カメラ１００で実行される処理であり、カメラ１００ではステップＳ２１２、ステップＳ２１４で、カメラ側でオートバウンス開始操作がなされたことと外部ストロボ側でオートバウンス開始操作がなされたこととを判定している。
【００９１】
次に、本実施形態におけるオートバウンス判定処理の詳細について、図１２を参照して説明する。図１２は、本実施形態におけるステップＳ３８のオートバウンス判定処理のフローチャートである。
【００９２】
ステップＳ２３１においてストロボＭＰＵ２０１は、カメラ１００からオートバウンス開始要求があるか否かを判定する。ストロボＭＰＵ２０１は、オートバウンス開始要求があった場合、ステップＳ２３２へ移行してオートバウンス制御を実行し、オートバウンス開始要求がない場合、本処理を終了させる。
【００９３】
以上のように、本実施形態では、カメラ側でオートバウンスの開始判断を行うことで、カメラ１００が合焦状態（被写体にピントが合っている状態）であると判定した場合にはオートバウンス制御を開始させないようにしている。より詳細には、カメラＭＰＵ１０１が、オートバウンススイッチへの操作に応じて発光部２０２の照射方向を自動的に決定するか否かを、カメラ１００が合焦状態か否かによって制御している。そうすることで、不要な照射方向の決定を行わないようにできる。なお、カメラ１００が合焦状態でない場合には、カメラＭＰＵ１０１が、オートバウンススイッチへの操作に応じて発光部２０２の照射方向を自動的に決定するように制御している。そうすることで、必要なときには照射方向の決定を行うことができる。以上のように、照射方向の自動決定を効率よく行うことができる。
【００９４】
＜第３の実施形態に係る自動照射方向制御方法（オートバウンス制御方法）＞
以下、図１３を用いて、第３の実施形態に係る自動照射方向制御方法を説明する。第３の実施形態は、第１の実施形態とストロボＭＰＵ２０１によって実行されるオートバウンス判定処理が異なる。なお、カメラ及び外部ストロボの概略構成及びその他の処理は第１の実施形態と同様のため説明は省略する。
【００９５】
本実施形態におけるオートバウンス判定処理の詳細について、図１３を参照して説明する。図１３は、本実施形態におけるステップＳ３８のオートバウンス判定処理のフローチャートである。
【００９６】
ステップＳ３０１においてストロボＭＰＵ２０１は、カメラ１００から受信したＡＦ合焦情報に基づいてストロボＭＰＵ２０１の内部ＲＡＭに記憶されているＳＴ＿ＡＦ＿ＪＦ＿ＬＯＣＫが０か否かを判定する。ストロボＭＰＵ２０１は、ＳＴ＿ＡＦ＿ＪＦ＿ＬＯＣＫが０の場合、ステップＳ３０２へ移行し、ＳＴ＿ＡＦ＿ＪＦ＿ＬＯＣＫが０でない場合、ステップＳ３０３へ移行する。
【００９７】
ステップＳ３０２においてストロボＭＰＵ２０１は、ストロボＭＰＵのＲＡＭデータであるＳＴ＿ＪＦ＿ＡＢ＿ｃｏｕｎｔを０にする。
【００９８】
ステップＳ３０３においてストロボＭＰＵ２０１は、カメラ１００からオートバウンス開始要求があるか否かを判定する。ストロボＭＰＵ２０１は、オートバウンス開始要求があった場合、ステップＳ３０５へ移行し、オートバウンス開始要求がない場合、ステップＳ３０４へ移行する。
【００９９】
ステップＳ３０４においてストロボＭＰＵ２０１は、スイッチＳＴ＿ＳＷＡＢがオフからオンに変化したか否かを判定する。ストロボＭＰＵ２０１は、オフからオンに変化していればステップＳ３０５へ移行し、オフからオンに変化していなければ本処理を終了させる。
【０１００】
ステップＳ３０５においてストロボＭＰＵ２０１は、記憶しているＳＴ＿ＡＦ＿ＪＦ＿ＬＯＣＫが０か否かを判定する。ストロボＭＰＵ２０１は、ＳＴ＿ＡＦ＿ＪＦ＿ＬＯＣＫが０の場合、ステップＳ３０８においてオートバウンス制御を実行し、ＳＴ＿ＡＦ＿ＪＦ＿ＬＯＣＫが０でない（１である）場合、ステップＳ３０６へ移行する。
【０１０１】
ステップＳ３０６においてストロボＭＰＵ２０１は、ストロボＭＰＵ２０１のＲＡＭデータであるＳＴ＿ＪＦ＿ＡＢ＿ｃｏｕｎｔが０か否かを判定する。ストロボＭＰＵ２０１は、ＳＴ＿ＪＦ＿ＡＢ＿ｃｏｕｎｔが０である場合、ステップＳ３０７へ移行し、ＳＴ＿ＪＦ＿ＡＢ＿ｃｏｕｎｔが０でなければ本処理を終了させる。
【０１０２】
ステップＳ３０７においてストロボＭＰＵ２０１は、ＳＴ＿ＪＦ＿ＡＢ＿ｃｏｕｎｔを１にして、ステップＳ３０８においてオートバウンス制御を実行し本処理を終了させる。
【０１０３】
以上のように、本実施形態では、外部ストロボ側においてカメラ１００が合焦状態である場合に２回目以降のオートバウンス制御を開始させないようにしている。より詳細には、ストロボＭＰＵ２０１が、カメラ１００が合焦状態の場合、１回目のオートバウンススイッチへの操作に応じて発光部２０２の照射方向を自動的に決定し、２回目以降の操作に応じて照射方向を自動的に決定しないように制御している。そうすることで、バウンス発光撮影時の照明装置の照射方向の決定後に、不要な照射方向の再決定を行わないようにでき、照射方向の自動決定を効率よく行うことができる。
【０１０４】
＜第４の実施形態に係る自動照射方向制御方法（オートバウンス制御方法）＞
以下、図１４を用いて、第４の実施形態に係る自動照射方向制御方法を説明する。第４の実施形態は、第２の実施形態とカメラ１００のカメラＭＰＵ１０１によって実行される処理が異なる。なお、カメラ及び外部ストロボの概略構成及びその他の処理は第２の実施形態と同様のため説明は省略する。
【０１０５】
図１４は、第４の実施形態に係るオートバウンス制御方法のカメラ１００での制御フローを示すフローチャートである。図１４に示す各処理は、カメラＭＰＵ１０１が、不図示のＲＯＭに格納された制御プログラムを不図示のＲＡＭに展開することにより実行される。
【０１０６】
ステップＳ４０１〜Ｓ４０５の処理は、図１１のステップＳ２０１〜Ｓ２０５と同様であるため説明は省略する。
【０１０７】
ステップＳ４０６においてカメラＭＰＵ１０１は、ＡＦ＿ＪＦが０か否かを判定し、ＡＦ＿ＪＦが０であればステップＳ４０７へ移行し、ＡＦ＿ＪＦが０でなければステップＳ４０８へ移行する。
【０１０８】
ステップＳ４０７においてカメラＭＰＵ１０１は、ＡＦ＿ＪＦ＿ＬＯＣＫを０、ＪＦ＿ＡＢ＿ｃｏｕｎｔを０にしてステップＳ４０９へ移行する。
【０１０９】
ステップＳ４０８においてカメラＭＰＵ１０１は、ＡＦ＿ＪＦ＿ＬＯＣＫを１にしてステップＳ４０９へ移行する。
【０１１０】
ステップＳ４０９においてカメラＭＰＵ１０１は、外部ストロボ１２０との通信（ストロボ通信）を行う。このストロボ通信で通信される情報は第１の実施形態のステップＳ１０、第２の実施形態のステップＳ２１０と同様である。
【０１１１】
ステップＳ４１０においてカメラＭＰＵ１０１は、ＳＷＡＢがオンか否かを判定し、ＳＷＡＢがオン（オートバウンス許可）であればステップＳ４１１へ移行し、ＳＷＡＢがオンでなければステップＳ４１２へ移行する。
【０１１２】
ステップＳ４１１においてカメラＭＰＵ１０１は、ＳＷＡＢ＿ＡｕｔｏＢｏｕｎｃｅを１にしてステップＳ４１４へ移行する。
【０１１３】
ステップＳ４１２においてカメラＭＰＵ１０１は、外部ストロボ１２０から受信したオートバウンス情報に基づいて、ＳＴ＿ＳＷＡＢがオンか否かを判定する。ＳＴ＿ＳＷＡＢがオン（オートバウンス許可）であればステップＳ４１３へ移行し、オンでなければステップＳ４１９へ移行する。
【０１１４】
ステップＳ４１３においてカメラＭＰＵ１０１は、ＳＴ＿ＳＷＡＢ＿ＡｕｔｏＢｏｕｎｃｅを１にしてステップＳ４１４へ移行する。
【０１１５】
ステップＳ４１４においてカメラＭＰＵ１０１は、ＡＦ＿ＪＦ＿ＬＯＣＫが０か否かを判定し、ＡＦ＿ＪＦ＿ＬＯＣＫが０であればステップＳ４１５へ移行し、ＡＦ＿ＪＦ＿ＬＯＣＫが０でなければステップＳ４１６へ移行する。
【０１１６】
ステップＳ４１５においてカメラＭＰＵ１０１は、外部ストロボ１２０へオートバウンス制御開始の通信を行いステップＳ４０２へ戻る。ステップＳ４１６においてカメラＭＰＵ１０１は、ＪＦ＿ＡＢ＿ｃｏｕｎｔが０か否かを判定し、ＪＦ＿ＡＢ＿ｃｏｕｎｔが０ならばステップＳ４１７へ移行し、ＪＦ＿ＡＢ＿ｃｏｕｎｔが０でなければステップＳ４１８へ移行する。
【０１１７】
ステップＳ４１７においてカメラＭＰＵ１０１は、ＪＦ＿ＡＢ＿ｃｏｕｎｔを１にしてステップＳ４１５へ移行する。
【０１１８】
ステップＳ４１８においてカメラＭＰＵ１０１は、ＳＷＡＢ＿ＡｕｔｏＢｏｕｎｃｅを０、ＳＴ＿ＳＷＡＢ＿ＡｕｔｏＢｏｕｎｃｅを０にしてステップＳ４１９へ移行する。
【０１１９】
ステップＳ４１９〜Ｓ４２８の処理については、ＡＦ＿ＪＦを１にする処理（ステップＳ４２３）の後に図１１のステップＳ２２２、Ｓ２２３に相当する処理を行わない点以外は、図１１のステップＳ４１９〜Ｓ４２８とほぼ同じであるため、説明は省略する。以上が、カメラ１００で実行される処理である。
【０１２０】
以上のように、本実施形態では、カメラ側においてカメラ１００が合焦状態である場合に２回目以降のオートバウンス制御を開始させないようにしている。より詳細には、カメラＭＰＵ１０１が、カメラ１００が合焦状態の場合、１回目のオートバウンススイッチへの操作に応じて発光部２０２の照射方向を自動的に決定し、２回目以降の操作に応じて照射方向を自動的に決定しないように制御している。そうすることで、バウンス発光撮影時の照明装置の照射方向の決定後に、不要な照射方向の再決定を行わないようにでき、照射方向の自動決定を効率よく行うことができる。
【０１２１】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１２２】
例えば、上記説明では、外部ストロボ１２０を装着可能なカメラ１００を取り上げたが、これに限られず、照射方向（例えば、バウンス角度）を変えることができるストロボを装備（内蔵）した撮像装置であってもよい。上記説明では、オートバウンス開始ボタンとして機能するボタンとして、カメラ１００は２つのスイッチＳＷ１，ＳＷＡＢを備え、外部ストロボ１２０は１つのスイッチＳＴ＿ＳＷＡＢを備える構成とした。しかし、これに限定されずに、カメラ１００と外部ストロボ１２０とからなる撮像システムにおいて、自動照射方向制御を開始するための複数の操作部を備えていて、撮影準備を開始させるための第１の操作部と第１の操作部ではない第２の操作部があればよい。例えば、カメラ１００がスイッチＳＷＡＢを備えない撮像システムもまた、本発明の実施形態に含まれることになる。また、自動照射方向制御を開始するための複数の操作部への操作は押下に限らず、操作部の形態に応じた操作であればよい。また、スイッチＳＷＡＢをオンさせるオートバウンス開始ボタンは、オートバウンス制御専用のボタンでなくてもよく、他の機能を実行するためのボタンと兼ねていてもよい。例えば、撮影時にどのような照明効果が得られるかを確認するために照明装置を発光させるモデリング発光ボタンを、自動照射方向制御制御を行うモードが設定されている場合には、動照射方向制御を開始するための操作部として用いるようにしてもよい。
【０１２３】
更に、上記実施形態では、バウンス角度演算において、外部ストロボ１２０による測距用測光部２０３、ストロボ姿勢検出部２０５で取得したデータに基づいて自動的に最適なバウンス角度を算出する構成にした。しかし、これに限られず、カメラ１００の測光部１１２、レンズ制御部１１４、姿勢検出部１１６等で取得したデータに基づいてストロボヘッド部２００ｂの最適なバウンス角度を算出する構成としてもよい。
【０１２４】
本発明は以下の処理を実行することによっても実現される。即ち、上述の実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2016057496.tif 000003
【図２】
2016057496.tif 000004
【図３】
2016057496.tif 000005
【図４】
2016057496.tif 000006
【図５】
2016057496.tif 000007
【図６】
2016057496.tif 000008
【図７】
2016057496.tif 000009
【図８】
2016057496.tif 000010
【図９】
2016057496.tif 000011
【図１０】
2016057496.tif 000012
【図１１】
2016057496.tif 000013
【図１２】
2016057496.tif 000014
【図１３】
2016057496.tif 000015
【図１４】
2016057496.tif 000016